(57)【要約】【課題】まとめ洗いの使い勝手をよくし、分け洗いと、まとめ洗いの利便性を両立する。【解決手段】外槽１内に回転可能に設けられた略円筒状のドラム４ａ、４ｂと、ドラム４ａ、４ｂを回転駆動するモータ１９と、外槽１内に洗濯水を給水する給水手段２３ａ、２３ｂと、外槽１内の洗濯水を筐体２外へ排出する排水手段１３と、外槽１の底部に設けた貯水部６ａ、６ｂと、貯水部６ａ、６ｂをドラム４ａ、４ｂの回転軸５方向へ複数に区切る仕切部７とを備え、仕切部７は、複数の貯水部６ａ、６ｂを連通する連通部９を有し、連通部９を開閉自在に構成したものである。【選択図】図３
2015054160.tif 000002
【特許請求の範囲】
【請求項１】
筐体内に弾性支持した外槽と、
前記外槽内に回転可能に設けられた略円筒状のドラムと、
前記ドラムを回転駆動するモータと、
前記外槽内に洗濯水を給水する給水手段と、
前記外槽内の洗濯水を筐体外へ排出する排水手段と、
前記外槽の底部に設けた貯水部と、
前記貯水部を前記ドラムの回転軸方向へ複数に区切る仕切部とを備え、
前記仕切部は、前記複数の貯水部を連通する連通部を有し、
前記連通部を開閉自在に構成した
ドラム式洗濯機。
【請求項２】
前記仕切部に前記複数の貯水部内の洗濯水を排出する排水口を設けた
請求項１記載のドラム式洗濯機。
【請求項３】
前記連通部は、前記複数の貯水部を各々個別に開閉可能に構成した
請求項１または２記載のドラム式洗濯機。
【請求項４】
前記貯水部は、少なくともいずれか１つに洗濯水を加熱するヒータを設けた
請求項１〜３のいずれか１項に記載のドラム式洗濯機。
【発明の詳細な説明】
【技術分野】
【０００１】
本発明は、衣類等の繊維製品の洗濯をおこなうドラム式洗濯機に関するものである。
【背景技術】
【０００２】
従来、この種のドラム式洗濯機は、洗濯物の汚れの程度等によって二回に分けて別々に洗濯するのが一般的であるが、時間と手間がかかることから、一回の洗濯で分け洗いができるようにすることが考えられている（例えば、特許文献１参照）。
【０００３】
図１３は、特許文献１に記載された従来のドラム式洗濯機の要部断面図である。図１３において、外槽５１内にドラム５２を回転可能に設け、このドラム５２を回転軸５３の方向へ複数のドラム５２ａ、５２ｂに分割形成している。複数のドラム５２ａ、５２ｂは、１つの駆動装置５４で一体に回転駆動する。ドラム５２の円周部に一周に亘るくびれ部５５を形成し、ドラム５２を複数のドラム５２ａ、５２ｂの領域に分割している。ドラム５２の回転軸５３より下方のくびれ部５５に仕切り部材５６を設け、外槽５１内の下部に洗濯水が混ざることなく溜めることができるようにしたものである。
【先行技術文献】
【特許文献】
【０００４】
【特許文献１】特開２００６−２３０９５６号公報
【発明の概要】
【発明が解決しようとする課題】
【０００５】
しかしながら、前記従来の構成では、分け洗いができるようにドラムにくびれ部を設けて複数の領域に分割したことによって、洗濯物をまとめて洗う際の使い勝手が悪いという問題があった。すなわち、通常は洗濯物を一度にまとめて洗うことが多く、複数の領域に分割されたドラムに入れられた洗濯物の量が領域間で異なると、叩き洗いにより洗濯物に作用する機械力に差が生じるとともに、複数の領域に対応して分けられた貯水部に、同量の洗濯水が溜められるため、洗濯物の単位量に対する水量に差が生じる。つまり、洗濯物が多いと洗濯水が少で機械力が弱く、洗濯物が少ないと洗濯水が多で機械力が強くなり、その結果、汚れ落ちに差が生じる。また、洗濯物の量が領域間で異なると、洗濯物にドラムの回転軸方向へ偏りが生じ、回転駆動時の振動が大きくなる。したがって、洗濯物をまとめて洗う際には、洗濯物をドラムの複数の領域に同程度の量に分けて投入する必要があった。
【０００６】
本発明は、前記従来の課題を解決するもので、洗濯物をまとめて洗う際の使い勝手をよくし、分け洗いと、まとめ洗いの利便性の両立を可能にしたドラム式洗濯機を提供することを目的とする。
【課題を解決するための手段】
【０００７】
前記従来の課題を解決するために、本発明のドラム式洗濯機は、筐体内に弾性支持した外槽と、前記外槽内に回転可能に設けられた略円筒状のドラムと、前記ドラムを回転駆動するモータと、前記外槽内に洗濯水を給水する給水手段と、前記外槽内の洗濯水を筐体外へ排出する排水手段と、前記外槽の底部に設けた貯水部と、前記貯水部を前記ドラムの回転軸方向へ複数に区切る仕切部とを備え、前記仕切部は、前記複数の貯水部を連通する連通部を有し、前記連通部を開閉自在に構成したものである。
【０００８】
これによって、洗濯物をまとめて洗うときに、洗濯物を同程度の量に配分して投入する
煩わしさを解消して使い勝手をよくすることができ、分け洗いと、まとめ洗いの利便性を両立させることができる。また、連通部を通して複数の貯水部に略同量の洗濯水を貯留することができ、洗濯物に対して均等に洗浄することができる。
【発明の効果】
【０００９】
本発明のドラム式洗濯機は、洗濯物をまとめて洗う際の使い勝手をよくして、分け洗いと、まとめ洗いの利便性を両立させることができる。
【図面の簡単な説明】
【００１０】
【図１】本発明の実施の形態１におけるドラム式洗濯機の上方斜視図
【図２】同ドラム式洗濯機の内部構成の正面図
【図３】同ドラム式洗濯機の要部断面図
【図４】同ドラム式洗濯機の内部構成の側面図
【図５】同ドラム式洗濯機の図２のＡ−Ａ断面図
【図６】同ドラム式洗濯機の一部切欠下方斜視図
【図７】同ドラム式洗濯機の外槽とドラムの一部切欠斜視図
【図８】同ドラム式洗濯機の外槽の連通部を閉じた状態の一部切欠斜視図
【図９】同ドラム式洗濯機の外槽の連通部を開いた状態の一部切欠斜視図
【図１０】同ドラム式洗濯機のブロック構成図
【図１１】本発明の実施の形態２におけるドラム式洗濯機の一部切欠下方斜視図
【図１２】同ドラム式洗濯機の要部断面図
【図１３】従来のドラム式洗濯機の要部断面図
【発明を実施するための形態】
【００１１】
第１の発明は、筐体内に弾性支持した外槽と、前記外槽内に回転可能に設けられた略円筒状のドラムと、前記ドラムを回転駆動するモータと、前記外槽内に洗濯水を給水する給水手段と、前記外槽内の洗濯水を筐体外へ排出する排水手段と、前記外槽の底部に設けた貯水部と、前記貯水部を前記ドラムの回転軸方向へ複数に区切る仕切部とを備え、前記仕切部は、前記複数の貯水部を連通する連通部を有し、前記連通部を開閉自在に構成したことにより、洗濯物をまとめて洗うときに、洗濯物を同程度の量に配分して投入する煩わしさを解消して使い勝手をよくすることができ、分け洗いと、まとめ洗いの利便性を両立させることができる。また、連通部を通して複数の貯水部に略同量の洗濯水を貯留することができ、洗濯物に対して均等に洗浄することができる。
【００１２】
第２の発明は、特に、第１の発明において、前記仕切部に前記複数の貯水部内の洗濯水を排出する排水口を設けたことにより、複数の貯水部内の洗濯水を１つの排水口から排出することができ、構成を簡略にすることができる。
【００１３】
第３の発明は、特に、第１または第２の発明において、前記連通部は、前記複数の貯水部を各々個別に開閉可能に構成したことにより、分け洗い時に使用した洗濯水を個別に排出することができ、汚れた洗濯水が他の貯水部に流入するのを防止することができる。
【００１４】
第４の発明は、特に、第１〜第３のいずれか１つの発明において、前記貯水部は、少なくともいずれか１つに洗濯水を加熱するヒータを設けたことにより、洗濯物の量が少ないときは、ヒータを設けた貯水部に給水して洗濯水を加熱し、洗濯物の量に応じて給水された少量の洗濯水を効率よく加熱することができる。また、まとめ洗いを行うときは、連通部を通して洗濯水を同時に加熱することができ、温水による洗濯で洗浄効果を高めることができる。
【００１５】
以下、本発明の実施の形態について、図面を参照しながら説明する。なお、この実施の
形態によって本発明が限定されるものではない。
【００１６】
（実施の形態１）
図１は、本発明の第１の実施の形態におけるドラム式洗濯機の扉を開いた状態の上方斜視図、図２は、同ドラム式洗濯機の内部構成の正面図、図３は、同ドラム式洗濯機の要部断面図、図４は、同ドラム式洗濯機の内部構成を示す図２のＢ矢視側面図、図５は、同ドラム式洗濯機の図２のＡ−Ａ断面図、図６は、同ドラム式洗濯機の一部切欠下方斜視図、図７は、同ドラム式洗濯機の外槽とドラムの一部切欠斜視図、図８は、同ドラム式洗濯機の外槽の連通部を閉じた状態の一部切欠斜視図、図９は、同ドラム式洗濯機の外槽の連通部を開いた状態の一部切欠斜視図、図１０は、同ドラム式洗濯機のブロック構成図である。
【００１７】
図１〜図１０において、外槽１は、洗濯機の外郭を構成する筐体２内に複数のサスペンション機構３によって弾性的に支持されている。サスペンション機構３は、外槽１を下方から支持する複数のダンパと、外槽１を上方から吊り下げる複数のスプリングとで構成している。ドラム４ａ、４ｂは、略円筒状に形成され、水平に左右方向へ延びる回転軸５によって外槽１内に回転可能に配設されている。
【００１８】
外槽１は、底部に洗濯水を溜める貯水部６ａ、６ｂを有し、仕切部７によってドラム４ａ、４ｂの回転軸５方向へ複数の貯水部６ａ、６ｂに区切られている。ドラム４ａ、４ｂは、回転軸５方向の略中央部分に回転軸５と略平行な中央部８を有し、この中央部８の両側にドラム４ａ、４ｂを構成している。ドラム４ａ、４ｂは、各々外槽１の貯水部６ａ、６ｂの上方に対向して配設されている。
【００１９】
外槽１の底部に設けた貯水部６ａ、６ｂは、洗濯水が混ざらないように画成してあり、回転軸５方向の外槽１の略中央付近で仕切部７によって仕切られている。仕切部７は、断面が下方へ凹状に窪んだ形状に形成されており、外槽１の円周部である周壁部１ａに沿ってその内面側に円弧状に設けている。
【００２０】
外槽１の周壁部１ａの最下点付近に連通部９を設けている。連通部９は、外槽１の貯水部６ａ、６ｂの底面と略同一平面に形成している。連通部９は、貯水部６ａ側と貯水部６ｂ側に開閉自在な連通扉１０ａ、１０ｂを設けている。連通扉１０ａ、１０ｂは各々個別に動作可能に設け、連通扉１０ａを開くと貯水部６ａが連通部９と連通し、連通扉１０ｂを開くと貯水部６ｂが連通部９と連通する。また、連通扉１０ａ、１０ｂは、いずれか一方のみ開閉動作を行うほか、両方を同時に開閉動作を行うことが可能である。
【００２１】
連通部９の底部に排水口１１を設け、貯水部６ａ、６ｂ内の洗濯水を排水口１１から排水経路１２を通して機外へ排出するようにしている。貯水部６ａ、６ｂ内の洗濯水は、排水経路１２に設けた排水弁（排水手段）１３を開くことによって排水され、連通扉１０ａ、１０ｂの開閉動作により、貯水部６ａ、６ｂ内のいずれか一方の洗濯水、または、両方の洗濯水を同時に排出可能に設けている。
【００２２】
ドラム４ａ、４ｂは、各々の円周部である周壁部１４ａ、１４ｂに多数の周壁通水孔（通水孔）１５ａ、１５ｂを設けるとともに、各々の外側面部１６ａ、１６ｂに多数の側面通水孔（通水孔）１７ａ、１７ｂを設け、周壁通水孔１５ａ、１５ｂおよび側面通水孔１７ａ、１７ｂを通してドラム４ａ、４ｂ内と外槽１内を連通している。
【００２３】
ドラム４ａ、４ｂの周壁部１４ａ、１４ｂに設けた周壁通水孔１５ａ、１５ｂは、周方向へ細長くスリット状に形成している。また、ドラム４ａ、４ｂの外側面部１６ａ、１６ｂに設けた側面通水孔１７ａ、１７ｂは、ドラム４ａ、４ｂの回転軸５を略中心として円
弧状に細長くスリット状に形成している。
【００２４】
周壁部１４ａ、１４ｂに設けた周壁通水孔１５ａ、１５ｂは、ドラム４ａ、４ｂの各々の外側面部１６ａ、１６ｂ側に偏って設け、仕切部７と対向する周壁部１４ａ、１４ｂの中央部８側に、周壁通水孔１５ａ、１５ｂがない無孔領域１８を形成している。
【００２５】
ドラム４ａ、４ｂの周壁部１４ａ、１４ｂは、外槽１の周壁部１ａの内周面に沿うように円弧状に形成された仕切部７の上端部７ａ（円弧状の内側）より、上方に位置するように配設されている。
【００２６】
周壁部１４ａ、１４ｂは、周壁通水孔１５ａ、１５ｂが設けられている部分の仕切部７側から、外側面部１６ａ、１６ｂ側に向かって下向きに角度θ（例えば、５度）で傾斜させて形成している。また、中央部８は、両側の周壁部１４ａ、１４ｂより僅かに内方へ凹状に窪ませて回転軸５と平行に形成している。
【００２７】
ドラム４ａ、４ｂを回転駆動するモータ１９を外槽１の外面下部に取り付け、ドラム４ａ、４ｂを正逆回転させるようにしている。モータ１９の動力は、回転軸５に取り付けたプーリ２０との間に架設したベルト２１を介して回転軸５に伝達される。モータ１９は、ブラシレス直流モータで構成され、インバータ制御によって回転速度が自在に変化させることができるようになっている。
【００２８】
給水部２２は水道栓等に接続され、外槽１の周壁部１ａから外槽１内に給水する給水弁（給水手段）２３ａ、２３ｂに各々連結されている。給水弁２３ａ、２３ｂは、各々貯水部６ａ、６ｂに所定量の水が溜められるように給水を行う。
【００２９】
送水路２４ａ、２４ｂは、貯水部６ａ、６ｂの底部に設けた吸水口２５ａ、２５ｂに一端を接続し、他端を外槽１の外側面１ｂの上部に接続している。送水路２４ａ、２４ｂの他端に設けた洗濯水の出口２４ｃ、２４ｄは、回転軸５の上方（Ｈ）に設けている。貯水部６ａ、６ｂ内の洗濯水をドラム４ａ、４ｂ内へ送水し循環させるポンプ２６ａ、２６ｂを送水路２４ａ、２４ｂに設けている。
【００３０】
ポンプ２６ａ、２６ｂを設けた送水路２４ａ、２４ｂの上流側には、異物ストッパ２７ａ、２７ｂが設けられており、洗濯物２８から離脱した異物（例えば、コイン等）を回収するようにしている。
【００３１】
洗濯水を加熱するヒータ２９は、シーズヒータを略Ｕ字状に曲げて構成し、貯水部６ｂに配設している。連通扉１０ａ、１０ｂを閉じているときは、貯水部６ｂに溜められた洗濯水を加熱し、連通扉１０ａ、１０ｂが開いているときは、貯水部６ａ、６ｂに溜められた洗濯水を加熱する。
【００３２】
ドラム４ａ、４ｂは、周壁部１４ａ、１４ｂの一部に設けた投入口（図示せず）を開閉する内蓋３０を開閉自在に設け、洗濯物２８をドラム４ａ、４ｂに対し出し入れ可能に構成している。ドラム４ａ、４ｂの周壁部１４ａ、１４ｂに対向して外槽１に設けた開口部（図示せず）を開閉する外蓋３１を開閉自在に設けている。
【００３３】
外槽１の開口部は、伸縮自在な可撓性を有するパッキン３２によって筐体２と水密および気密を確保してシール結合している。外槽１の開口部は、筐体２の上面に開閉自在に設けた扉３３で覆われている。
【００３４】
筐体２内に設けた制御手段３４は、給水弁２３ａ、２３ｂ、排水弁１３、モータ１９、
ポンプ２６ａ、２６ｂ、連通扉１０ａ、１０ｂ等を駆動し、洗い、すすぎ、脱水等の各工程を逐次制御する。
【００３５】
制御手段３４は、ドラム４ａ、４ｂ内に投入された洗濯物２８の量を検知する布量検知手段３５の出力と、外槽１内に給水された洗濯水の量を検知する水位検知手段３６の出力と、モータ１９の駆動を検知する回転検知手段３７の出力と、洗濯水の温度を検知する水温検知手段３８等の出力が入力される。
【００３６】
以上のように構成されたドラム式洗濯機について、以下その動作、作用を説明する。洗濯は、制御手段３４により予め設定されたプログラムにしたがって、洗い、すすぎ、脱水の順に逐次実行される。
【００３７】
最初に、洗濯物を分け洗いする場合について説明する。例えば、洗濯物の汚れの多いものと、汚れの少ないものを一回の洗濯で分けて洗うことができる。まず、筐体２の上面に設けた扉３３を開いた後、外蓋３１と内蓋３０を開いて洗濯物をドラム４ａ、４ｂ内に投入する。
【００３８】
このとき、汚れの多い洗濯物と、少ない洗濯物を分けて投入する。例えば、汚れの多い洗濯物２８はドラム４ａに投入し、汚れの少ない洗濯物２８はドラム４ｂに投入する。ドラム４ａ、４ｂに分けて投入された洗濯物２８は、仕切部７を境目として、ドラム４ａの外側面部１６ａ側と、ドラム４ｂの外側面部１６ｂ側に位置する。
【００３９】
筐体２の上面に設けた操作表示部３９の電源スイッチ（図示せず）をオンし、スタートスイッチ（図示せず）を操作して運転を開始する。運転の開始により、ドラム４ａ、４ｂに投入された洗濯物２８の量を布量検知手段３５によって検知する。洗濯物２８の量は、ドラム４ａ、４ｂを回転駆動し、ドラム４ａ、４ｂの回転時にモータ１９にかかるトルク量やモータ１９の電流値等から検知することができる。
【００４０】
制御手段３４は、検知した洗濯物２８の量に応じて、洗い、すすぎ、脱水等の各工程の時間を設定するとともに、洗濯物２８の量に応じて予め設定された洗剤量の目安を操作表示部３９に表示する。使用者は、表示された洗剤量の目安にしたがって洗剤を洗剤投入部（図示せず）に投入する。なお、洗剤は、一般的な洗剤自動投入装置を搭載し、制御手段３４によって自動で投入されるようにしてもよい。
【００４１】
また、洗濯物の量に応じて予め設定された量の洗濯水が給水される。洗濯水は、水道栓等に接続された給水部２２から、給水弁２３ａ、２３ｂを通して外槽１の周壁部１ａの上部から外槽１内に供給され、外槽１の底部に設けられた貯水部６ａ、６ｂに溜められる。外槽１内に供給された洗濯水は、水位検知手段３６によって検知し、洗濯物２８の量に応じて設定された量の洗濯水が溜まると給水を停止する。
【００４２】
仕切部７によって仕切られた貯水部６ａ、６ｂに貯留する洗濯水の定格水位Ｌは、円弧状に形成した仕切部７の上端部７ａ（円弧状の内側）より下方に位置するように設定されている。したがって、仕切部７の上端部７ａより上方に配設されているドラム４ａ、４ｂの周壁部１４ａ、１４ｂは、洗濯水の定格水位Ｌの上方に位置し、貯留した洗濯水に浸かることがなく、ドラム４ａ、４ｂの回転時の抵抗が少なくなり、モータ１９の電力消費が減少する。
【００４３】
洗濯水の給水に続いて、モータ１９とポンプ２６ａ、２６ｂを駆動する。モータ１９は、洗濯物２８がドラム４ａ、４ｂの回転方向へ持ち上げられ、ドラム４ａ、４ｂ内の上部から落下するタンブリング動作を行う回転数、例えば、４５ｒｐｍで正逆回転駆動し、所
謂叩き洗いされるように駆動する。
【００４４】
貯水部６ａに溜められた洗濯水は、貯水部６ａの底部に設けた吸水口２５ａから、送水路２４ａを経てポンプ２６ａに到達し、ポンプ２６ａの駆動により、送水路２４ａを経てドラム４ａ内に送水されて循環する。
【００４５】
貯水部６ｂに溜められた洗濯水は、貯水部６ｂの底部に設けた吸水口２５ｂから、送水路２４ｂを経てポンプ２６ｂに到達し、ポンプ２６ｂの駆動により、送水路２４ｂを経てドラム４ｂ内に送水されて循環する。
【００４６】
これにより、洗濯物２８は回転軸５方向へ移動することなく、略水平に設けられている回転軸５を中心に回動するドラム４ａ、４ｂの回転によってタンブリング動作するため、２つに分けた洗濯物２８は混ざりにくい。加えて、仕切部７を介して洗濯水を貯水部６ａと貯水部６ｂとに分離しているため、ドラム４ａに送水された洗濯水は貯水部６ａに戻って循環し、また、ドラム４ｂに送水された洗濯水は貯水部６ｂに戻って循環する。
【００４７】
したがって、ドラム４ａとドラム４ｂの２つに分けた各々の洗濯物２８に含まれる洗濯水は、洗濯運転中に相互に混ざり合うことなく、洗濯を行うことができる。
【００４８】
次に、洗濯物を分けずに、まとめて洗う場合について説明する。分け洗い時と同様に、筐体２の上面に設けた扉３３を開いた後、外蓋３１と内蓋３０を開いて洗濯物をドラム４ａ、４ｂ内に投入する。
【００４９】
洗濯水は、給水弁２３ａ、２３ｂを通して外槽１内に供給され、外槽１の底部に設けられた貯水部６ａ、６ｂに溜められる。貯水部６ａ、６ｂは、連通扉１０ａ、１０ｂによって開かれた連通部９を通して連通し、各々の貯水部６ａ、６ｂに略同量の洗濯水が溜められる。
【００５０】
貯水部６ａ、６ｂに溜められた洗濯水は、ポンプ２６ａ、２６ｂの駆動により、各々、貯水部６ａ、６ｂの底部に設けた吸水口２５ａ、２５ｂから、送水路２４ａ、２４ｂを経てドラム４ａ、４ｂ内に送水されて循環する。洗濯水は、洗い工程およびすすぎ工程において、ドラム４ａ、４ｂの回転と、ポンプ２６ａ、２６ｂの駆動により、貯水部６ａ、６ｂに略同量の洗濯水が保持される。
【００５１】
ドラム４ａ、４ｂの周壁部１４ａ、１４ｂを仕切部７より上方に配設するとともに、貯水部６ａ、６ｂに貯留する洗濯水の定格水位Ｌを、仕切部７の上端部７ａより下方に設定しているため、ドラム４ａ、４ｂの周壁部１４ａ、１４ｂが貯水部６ａ、６ｂに貯留した洗濯水に浸かることがない。
【００５２】
これによって、ドラム４ａ、４ｂの周壁部１４ａ、１４ｂを平坦状に近づけることができ、洗濯物２８をまとめて洗うときに、洗濯物２８を同程度の量に配分して投入する煩わしさを解消して使い勝手をよくすることができ、分け洗いと、まとめ洗いの利便性を両立させることができる。
【００５３】
なお、給水部２２から外槽１内に給水された洗濯水の温度は、サーミスタ等で構成した水温検知手段３８で検知し、水温が低い場合は、ヒータ２９で洗濯水を加熱（例えば、４０℃）し、温水による洗濯で洗浄効果を高めることができる。
【００５４】
このとき、洗濯物２８の量が少なく、一方のドラム４ｂのみで洗濯する場合は、連通扉１０ｂを閉じて給水弁２３ｂから貯水部６ｂに給水する。これにより、洗濯物２８の量に
応じて給水された少量の洗濯水を効率よく加熱して洗濯することができる。
【００５５】
また、両方の貯水部６ａ、６ｂに給水して、まとめ洗いを行う場合は、連通扉１０ａ、１０ｂを開いて貯水部６ａ、６ｂ内の洗濯水を同時に加熱することができる。
【００５６】
以上のように、本実施の形態においては、筐体２内に弾性支持した外槽１と、外槽１内に回転可能に設けられた略円筒状のドラム４ａ、４ｂと、ドラム４ａ、４ｂを回転駆動するモータ１９と、外槽１内に洗濯水を給水する給水手段２３ａ、２３ｂと、外槽１内の洗濯水を筐体２外へ排出する排水手段１３と、外槽１の底部に設けた貯水部６ａ、６ｂと、貯水部６ａ、６ｂをドラム４ａ、４ｂの回転軸５方向へ複数に区切る仕切部７とを備え、仕切部７は、複数の貯水部６ａ、６ｂを連通する連通部９を有し、連通部９を開閉自在に構成したものであり、洗濯物をまとめて洗うときに、洗濯物を同程度の量に配分して投入する煩わしさを解消して使い勝手をよくすることができ、分け洗いと、まとめ洗いの利便性を両立させることができる。また、連通部９を通して複数の貯水部６ａ、６ｂに略同量の洗濯水を貯留することができ、洗濯物に対して均等に洗浄することができる。
【００５７】
また、仕切部７に複数の貯水部６ａ、６ｂ内の洗濯水を排出する排水口１１を設けたものであり、複数の貯水部６ａ、６ｂ内の洗濯水を１つの排水口１１から排出することができ、構成を簡略にすることができる。
【００５８】
また、連通部９は、複数の貯水部６ａ、６ｂを各々個別に開閉可能に構成したものであり、分け洗い時に使用した洗濯水を個別に排出することができ、汚れた洗濯水が他の貯水部に流入するのを防止することができる。
【００５９】
また、貯水部６ａ、６ｂは、少なくともいずれか１つに洗濯水を加熱するヒータ２９を設けたものであり、洗濯物の量が少ないときは、ヒータ２９を設けた貯水部６ｂに給水して洗濯水を加熱し、洗濯物の量に応じて給水された少量の洗濯水を効率よく加熱することができる。また、まとめ洗いを行うときは、連通部９を通して洗濯水を同時に加熱することができ、温水による洗濯で洗浄効果を高めることができる。
【００６０】
また、ドラム４ａ、４ｂの周壁部１４ａ、１４ｂを仕切部７より上方に配設するとともに、貯水部６ａ、６ｂに貯留する洗濯水の定格水位を、仕切部７の上端部より下方に設定したものであり、ドラム４ａ、４ｂの周壁部１４ａ、１４ｂを平坦状に近付けることができ、洗濯物をまとめて洗うときに、洗濯物を同程度の量に配分して投入する煩わしさを解消して使い勝手をよくすることができ、分け洗いと、まとめ洗いの利便性を両立させることができる。また、ドラム４ａ、４ｂの周壁部１４ａ、１４ｂが貯水部６ａ、６ｂに溜められた洗濯水に浸かることなく、回転駆動時の抵抗を少なくすることができる。
【００６１】
また、ドラム４ａ、４ｂは、仕切部７と対向する周壁部１４ａ、１４ｂの中央部８を、ドラム４ａ、４ｂの回転軸５と略平行に形成したものであり、周壁部１４ａ、１４ｂの中央部８に洗濯物を受け止める面積を持った略水平部を構成することができ、周壁部１４ａ、１４ｂの中央部８においても叩き洗いによる機械力を洗濯物に作用させることができ、洗浄効果を高めることができる。
【００６２】
また、ドラム４ａ、４ｂは、周壁部１４ａ、１４ｂに外槽１と連通する通水孔１５ａ、１５ｂを有し、通水孔１５ａ、１５ｂをドラム４ａ、４ｂの外側面部１６ａ、１６ｂ側に偏って設け、仕切部７と対向する周壁部１４ａ、１４ｂの中央部８を無孔領域１８としたものであり、分け洗い時に洗濯物が仕切部７と対向する周壁部１４ａ、１４ｂの中央部８近傍にあるときに、タンブリング動作や脱水が行われても、通水孔１５ａ、１５ｂから飛散した洗濯物に含まれる洗濯水が仕切部７を乗り越えることなく、洗濯水を分離すること
ができる。
【００６３】
また、ドラム４ａ、４ｂは、周壁部１４ａ、１４ｂに外槽１と連通する通水孔１５ａ、１５ｂを有し、周壁部１４ａ、１４ｂは、通水孔１５ａ、１５ｂが設けられている部分の仕切部７側から外側面部１６ａ、１６ｂ側に向かって下向きに傾けて形成したものであり、分け洗い時に洗濯物が仕切部７近くに寄って投入されても、タンブリング動作が行われることにより、ドラム４ａ、４ｂの周壁部１４ａ、１４ｂの傾斜によって洗濯物が次第に外側面部１６ａ、１６ｂ側へ移動し、分けられた洗濯物および洗濯水が混ざり合うのを防止することができる。
【００６４】
また、ポンプ２６ａ、２６ｂにより貯水部６ａ、６ｂ内の洗濯水を送水路２４ａ、２４ｂを通してドラム４ａ、４ｂ内へ導入し循環させるようにしたものであり、ドラム４ａ、４ｂ内の上部で洗濯物に洗濯水を供給することができるようになり、多量の洗濯水を含んだ状態で、洗濯物を下方へ落下させることができ、洗濯物に作用する機械力を強めて叩き洗いによる洗浄効果を高めることができる。
【００６５】
また、送水路２４ａ、２４ｂから吐出する洗濯水の出口２４ｃ、２４ｄを、ドラム４ａ、４ｂの外側面部１６ａ、１６ｂに対向して外槽１に設けるとともに、ドラム４ａ、４ｂの外側面部１６ａ１６ｂに、ドラム４ａ、４ｂの回転軸５を略中心として円弧状に通水孔１７ａ、１７ｂを設け、通水孔１７ａ、１７ｂからドラム４ａ、４ｂ内に洗濯水を導入し循環させるようにしたものであり、送水路２４ａ、２４ｂから吐出される洗濯水の出口２４ｃ、２４ｄに、通水孔１７ａ、１７ｂが対向している状態を長くすることができ、洗濯水を通水孔１７ａ、１７ｂからドラム４ａ、４ｂ内へ効率よく循環させることができる。また、通水孔１７ａ、１７ｂからドラム４ａ、４ｂ内へ入らずに外槽１の内側に撥ねられた洗濯水は、ドラム４ａ、４ｂの回転方向に撥ねられるため、ドラム４ａ、４ｂの回転軸５を略中心として円弧状に細長く形成した通水孔１７ａ、１７ｂから、撥ねられた洗濯水がドラム４ａ、４ｂ内へ導入されやすくなるため、より多くの洗濯水を循環水としてドラム４ａ、４ｂ内へ導入することができる。
【００６６】
（実施の形態２）
図１１は、本発明の第２の実施の形態におけるドラム式洗濯機の一部切欠下方斜視図、図１２は、同要部断面図である。本実施の形態の特徴は、送水路２４ａ、２４ｂから吐出する洗濯水の出口を、ドラム４ａ、４ｂの周壁部１４ａ、１４ｂに対向して、外槽１の周壁部１ａに設けたものである。他の構成は実施の形態１と同じであり、同一の構成に同一の符号を付して、詳細な説明は実施の形態１のものを援用する。
【００６７】
送水路２４ａ、２４ｂから吐出する洗濯水の出口２４ｃ、２４ｄを、ドラム４ａ、４ｂの周壁部１４ａ、１４ｂに対向して外槽１の周壁部１ａに設け、ドラム４ａ、４ｂの周壁部１４ａ、１４ｂに、周方向へスリット状に周壁通水孔（通水孔）１５ａ、１５ｂを設けている。送水路２４ａ、２４ｂから吐出する洗濯水の出口２４ｃ、２４ｄは、回転軸５より上方（Ｈ）に設けている。
【００６８】
貯水部６ａ、６ｂ内の洗濯水は、ポンプ２６ａ、２６ｂにより送水路２４ａ、２４ｂを通り、外槽１の周壁部１ａに設けた出口２４ｃ、２４ｄから、周壁通水孔１５ａ、１５ｂを通して、ドラム４ａ、４ｂ内に導入され循環するようにしている。
【００６９】
上記構成によれば、送水路２４ａ、２４ｂから吐出する洗濯水の出口２４ｃ、２４ｄに周壁通水孔１５ａ、１５ｂが対向している状態を長くすることができるようになり、貯水部６ａ、６ｂ内の洗濯水を周壁通水孔１５ａ、１５ｂからドラム４ａ、４ｂ内へ効率よく循環させることができる。
【００７０】
また、周壁通水孔１５ａ、１５ｂからドラム４ａ、４ｂ内へ入らずに外槽１の内側に撥ねられた洗濯水は、ドラム４ａ、４ｂの回転方向に撥ねられるため、ドラム４ａ、４ｂの周壁部１４ａ、１４ｂに周方向へスリット状に細長く形成した周壁通水孔１５ａ、１５ｂから、撥ねられた洗濯水がドラム４ａ、４ｂ内へ導入されやすくなるため、より多くの洗濯水を循環水としてドラム４ａ、４ｂ内へ導入することができる。
【００７１】
また、周壁部１４ａ、１４ｂの内面に接して上方へ持ち上げられる洗濯物２８を、周壁通水孔１５ａ、１５ｂからドラム４ａ、４ｂ内に導入される洗濯水で内方へ押圧し、洗濯物２８を周壁部１４ａ、１４ｂの内面から離反させて下方へ落下させることができるようになり、タンブリング動作による叩き洗いを効果的に行うことができる。
【００７２】
なお、送水路２４ａ、２４ｂから吐出する洗濯水の出口２４ｃ、２４ｄは、外槽１の周壁部１ａ、または、外側面１ｂのいずれか一方に設けるほか、その両方に設けることができる。この場合、洗濯水は、ドラム４ａ、４ｂの周壁部１４ａ、１４ｂに設けた周壁通水孔１５ａ、１５ｂと、ドラム４ａ、４ｂの外側面部１６ａ、１６ｂに設けた側面通水孔１７ａ、１７ｂの両方から導入することができる。
【００７３】
なお、洗濯物２８が回転軸５方向へ移動するのを妨げるドラム仕切体（図示せず）を、ドラム４ａ、４ｂの周壁部１４ａ、１４ｂの中央部に設け、ドラム仕切体を脱着可能に構成することによって、分け洗い時は、ドラム仕切体を装着することにより、分けられた洗濯物２８がドラム４ａ、４ｂ内で混ざり合うことなく洗うことができる。また、まとめ洗い時は、ドラム仕切体を取り外すことにより、洗濯物２８が回転軸５の方向へ移動するのを妨げるものがなく、洗浄効果を高めることができるとともに、シーツ等の大きな洗濯物も良好に洗うことができるようになる。
【００７４】
なお、ドラムの周壁部に開閉自在な投入口を設け、この投入口を閉じた状態で洗濯運転を行う形式の、所謂トップオープン型のドラム式洗濯機のように、洗濯運転時にドラムに大きな開放部を設けることができない構造上の制約がある場合においても、洗濯水を効果的に循環させることが可能である。
【産業上の利用可能性】
【００７５】
以上のように、本発明にかかるドラム式洗濯機は、洗濯物をまとめて洗う際の使い勝手をよくして、分け洗いと、まとめ洗いの利便性を両立させることができるので、ドラム式洗濯機として有用である。
【符号の説明】
【００７６】
１  外槽
２  筐体
４ａ、４ｂ  ドラム
５  回転軸
６ａ、６ｂ  貯水部
７  仕切部
９  連通部
１３  排水弁（排水手段）
１９  モータ
２３ａ、２３ｂ  給水弁（給水手段）
【図１】
2015054160.tif 000003
【図２】
2015054160.tif 000004
【図３】
2015054160.tif 000005
【図４】
2015054160.tif 000006
【図５】
2015054160.tif 000007
【図６】
2015054160.tif 000008
【図７】
2015054160.tif 000009
【図８】
2015054160.tif 000010
【図９】
2015054160.tif 000011
【図１０】
2015054160.tif 000012
【図１１】
2015054160.tif 000013
【図１２】
2015054160.tif 000014
【図１３】
2015054160.tif 000015